(57)【特許請求の範囲】
【請求項１】
絶縁壁を有する絶縁台に電線を接続する端子を備え、１段目の端子は接続される圧着端子の挿入方向が端子台の前面長手方向に対して斜めになるように配列され、２段目の端子は接続される圧着端子の挿入方向が端子台の前面長手方向に対し直角になるように配列された多段端子台において、
上記１段目の端子の圧入歯形固定部を左右非対称の構造としたことを特徴とする多段端子台。
【発明の詳細な説明】
【０００１】
【発明の属する技術分野】
この発明は電気機器、電気制御盤及び電気装置等のパネルまたは内部に設置される多段端子台に関するものである。
【０００２】
【従来の技術】
図７は、従来のねじ締め２段端子台コネクタの端子台本体とソケットの勘合状態を表す断面図である。
図において、１０１は端子の絶縁壁とソケットとの勘合形状を有し、絶縁樹脂で形成され端子が取付られる絶縁台、１０２は端子ねじが取付けられソケットのコンタクトとの接触部を有する下段端子、１０３は端子ねじが取付けられソケットのコンタクトとの接触部を有する上段端子、１０４は圧着端子を端子に締結する端子ねじ、１０５は端子本体の絶縁台１０１と取付けねじ１０６にて勘合固定されるソケット、１０７はソケットのコンタクトと電気的に接触する弾性を有した端子接触部１２１、１３１と対向して配列され、ソケット１０５に挿入固定されたコンタクト、１０８は絶縁台１０１に回転自在に取付けられた絶縁カバーである。
端子台本体は、１０１〜１０４により構成されている。
【０００３】
図８は、従来のねじ締め２段端子台コネクタに圧着端子を使用して電線を接続した前面状態図であり、図９は、該２段端子台コネクタの長手方向側面図を示す状態図である。
なお、ねじ締め２段端子台コネクタは、プログラマブルコントローラにおける、接続機器との接続等に用いられる。
図において、１０６は絶縁台１０１をソケットに締結固定する取付けねじ、１０９は接続線である。
ここで、接続線１０９は、電線１９１にかしめられた圧着端子１９2、電線に挿入され圧着端子の電線かしめ部を絶縁する絶縁チューブ１９３から構成されている。
【０００４】
図１０は、従来のねじ締め２段端子台コネクタにおける絶縁台の端子配列及び端子接触部の関係を表す前面詳細図であり、図１１は、従来の下段端子形状詳細図である。
図において、１２１、１３１は弾性を有し、ソケットのコンタクトと電気的に接触する下段端子と上段端子の接触部である。
【０００５】
図に示されるように、従来の端子台または端子台コネクタは、接続する電線１９１に圧着端子１９２をかしめてから絶縁チューブ１９３を被せ、接続線１０９を下段端子１０２及び上段端子１０３に端子配列に応じて圧着端子を挿入し、端子ねじ１０４にて締結固定する。
ここで、接続線１０９を端子台または端子台コネクタの前面長手方向に対して直角に挿入して接続し、下段端子１０２及び上段端子１０３に接続された接続線１０９を端子台の配列に沿って引出す方向に直角に曲げ、端子台長手方向と平行にまとめて引出し配線処理する。
【０００６】
【発明が解決しようとする課題】
従来の端子台または端子台コネクタは、以上のように構成されているので下記のような問題点があった。
端子に接続した電線を端子の配列に沿って端子台長手方向と平行に引出そうとすると、図９に示すごとく、電線引出し方向最端部には配列の上部側より配線された電線が集中し、最短部の絶縁壁があるため電線の捌きができず、電線挿入方向に出っ張り、大きな配線スペースを確保しなければならず不経済であり、配線捌きが煩雑となるなど問題があった。
また、電線が集中する最端部に圧着端子が端子台長手方向に対し直角方向に出っ張るためこれが配線捌きが煩雑となる要因ともなっていた。
一方、電線挿入方向が端子台長手方向に対して斜めに構成された端子台コネクタも存在するが、該端子台コネクタでは、端子のソケットコンタクトとの接触面が斜めになり従来のソケットと互換性がなく、上下段の端子ねじピッチが大きくなる等の問題があった。
【０００７】
この発明は、上記のような問題を解決するためになされたもので、端子台または端子台コネクタを同一平面に複数個並列設置して使用する場合の設置スペースを小さくすることを目的とする。
【０００８】
【課題を解決するための手段】
この発明に係る多段端子台は、絶縁壁を有する絶縁台に電線を接続する端子を備え、１段目の端子は接続される圧着端子の挿入方向が端子台の前面長手方向に対して斜めになるように配列され、２段目の端子は接続される圧着端子の挿入方向が端子台の前面長手方向に対し直角になるように配列された多段端子台において、上記１段目の端子の圧入歯形固定部を左右非対称の構造としたものである。
【００１１】
【発明の実施の形態】
実施の形態１．
図１は、本発明のねじ締め２段端子台コネクタに圧着端子を使用して電線が接続された前面状態図であり、図２は、端子台の端子配列と端子形状を表す端子配列図であり、図３は、絶縁壁切り欠き部詳細斜視図である。
【００１２】
図において、１は端子の絶縁壁とソケットとの勘合形状を有し、絶縁樹脂で形成され端子が取付られる絶縁台であり、１段目（上段）に端子台前面長手方向に対し電線引出し方向に斜めに配列された絶縁壁、２段目（下段）に端子台前面長手方向に対し直角方向に配列された絶縁壁を有し、電線引出し方向最端部の絶縁壁にｕ字の絶縁壁切り欠き部１１が形成されている。
２は端子ねじが取付けられソケットのコンタクトとの接触部を有する下段端子、３は端子ねじが取付けられソケットのコンタクトとの接触部を有する上段端子、４は圧着端子を端子に締結する端子ねじである。
絶縁台１、上下段端子２、３並びに端子ねじ４で構成される端子台本体は、端子本体の絶縁台１と取付けねじ６にてソケットに勘合固定される。
８は絶縁台１に回転自在に取付けられた絶縁カバー、９は接続線である。
ここで、接続線９は、電線９１にかしめられた圧着端子９２、電線に挿入され圧着端子の電線かしめ部を絶縁する絶縁チューブ９３から構成されている。
【００１３】
次に、使用形態について説明する。
接続する電線９１に圧着端子９２をかしめてから絶縁チューブ９３を被せ、端子配列に応じ一段目は絶縁壁に沿って斜めに、但し、最端部のみ端子台長手方向から挿入、２段目は直角に挿入し、端子ねじ４にて締結固定する。
その後、接続された接続線９を端子台の配列に沿って引出す方向に曲げ、端子台長手方向と平行に引出し配線処理する。
【００１４】
本実施の形態によれば、斜めにした端子配列の最端部の端子（プログラマブルコントローラの端子台として本発明を適用した場合、最端部の端子は、ＦＧ（フレームグランド）端子、ＣＯＭ（共通）端子に使用される場合が多く、一般的に、これらの端子には他の信号線より太い線が使用される場合が多い）のみ、電線の挿入方向が端子台または端子台コネクタの前面長手方向となり、電源線といった比較的電線径の太い接続線を曲げることなく配設することができ、上部側より引出された電線と干渉しないため電線の捌きが容易となり作業性が向上する。
また、切り欠き部に電線を通すことができるため端子台長手方向に対し直角の配線処理寸法を少なくすることができる。
特に、端子台または端子台コネクタを同一平面に複数個並列設置する場合は、取付けピッチが狭くできるので従来品に比べ設置スペースの大幅削減が可能となる。
また、上段を長手方向に対して直角とすることにより、上下段の横手方向の端子ねじピッチが小さくすることができる。
そして、下段の端子を、長手方向に対して２０°前後の傾きの場合、従来の直角方向引出しのソケットと共用できる。
【００１５】
実施の形態２．
次に、実施の形態２について、図４〜６をもちいて説明する。
図４は、本発明のねじ締め２段端子台コネクタの端子配列と端子接触部形状を示す詳細図であり、図５は、絶縁台の端子圧入部の形状詳細図であり、図６は、端子形状詳細図である。
本実施の形態では、下段端子２の形状が図６の形状詳細図に示される如く、ソケットのコンタクトと接触する接触部形状を有した圧入歯形固定部２１が、左右非対称となり、下段端子２を端子台本体に斜めに配置した場合、圧入歯形固定部２１は、端子台本体の長手方向に平行に構成され、従来と同一のソケットのコンタクトと接続することができるものである。
なお、下段端子２及び上段端子３は、端子台コネクタにおいて、絶縁台の取付け穴に挿入し、圧入固定されて使用される。
【００１６】
本実施の形態によれば、端子の圧入歯形固定部を左右非対称にしたことにより上下段の端子ねじピッチを小さくすることができるとともに、配線基板等に取付けられたソケットに本実施の形態における端子部ユニットと従来の端子部ユニットのいずれも交互に容易に取付けが可能となり、選択性が拡大するとともにソケットの標準化を図ることができる。
【００１７】
【発明の効果】
本発明によれば、端子の圧入歯形固定部を左右非対称にしたことにより上下段の端子ねじピッチを小さくすることができるとともに、配線基板等に取付けられたソケットに本発明における端子台と従来の端子台のいずれも交互に容易に取付けが可能となり、選択性が拡大するとともにソケットの標準化を図ることができる。
【図面の簡単な説明】
【図１】  ２段端子台コネクタに圧着端子を使用して電線を接続した前面状態図である。
【図２】  ２段端子台コネクタの端子配列図である。
【図３】  ２段端子台コネクタの絶縁壁切り欠き部詳細斜視図である。
【図４】  ２段端子台コネクタの端子配列および端子詳細図である。
【図５】  ２段端子台コネクタの絶縁台端子圧入部詳細図である。
【図６】  ２段端子台コネクタの下段端子詳細図である。
【図７】  従来のねじ締め２段端子台コネクタの端子台本体とソケットの勘合状態断面図である。
【図８】  従来のねじ締め２段端子台コネクタに圧着端子を使用して電線を接続した前面状態図である。
【図９】  従来のねじ締め２段端子台コネクタに圧着端子を使用して電線を接続した側面状態図である。
【図１０】  従来のねじ締め２段端子台コネクタの端子配列詳細図である。
【図１１】  従来のねじ締め２段端子台コネクタの下段端子詳細図である。
【符号の説明】
１  絶縁台、２  下段端子、３  上段端子、４  端子ねじ、５  ソケット、９接続線、１１  絶縁壁切り欠き、２１  下段端子接触部、３１  上段端子接触部。
【図１】
0003961720.tif 000002
【図２】
0003961720.tif 000003
【図３】
0003961720.tif 000004
【図４】
0003961720.tif 000005
【図５】
0003961720.tif 000006
【図６】
0003961720.tif 000007
【図７】
0003961720.tif 000008
【図８】
0003961720.tif 000009
【図９】
0003961720.tif 000010
【図１０】
0003961720.tif 000011
【図１１】
0003961720.tif 000012